(57)【要約】【課題】低温タンクのまわりに滞る空気により冷媒が温められることを抑制でき、かつ、高温タンクのまわりを流れる空気により熱媒が冷まされることを抑制できる車両を提供する。【解決手段】電気温水ヒータ２で温められた温水で車室内の空気を温める車両であって、マイクロコントロールユニット３１等の車載コンポーネントを冷却する冷却水が循環する冷却水循環流路と、冷却水循環流路上に形成される低温タンク５と、電気温水ヒータ２で温められた温水が循環する循環する温水循環流路と、温水循環流路上に形成される高温タンク６と、を備え、高温タンク６は、低温タンク５の車両前後方向後方側に低温タンク５との間に空間を介して並設され、電気温水ヒータ２は、高温タンク６の車両前後方向後方側に並設される。【選択図】図３
2015223989.tif 000002
【特許請求の範囲】
【請求項１】
加温手段で温められた熱媒で車室内の空気を温める車両であって、
車載コンポーネントを冷却する冷媒が循環する冷媒循環流路と、
前記冷媒循環流路上に形成される冷媒コンデンスタンクと、
前記加温手段で温められた熱媒が循環する熱媒循環流路と、
前記熱媒循環流路上に形成される熱媒コンデンスタンクと、
を備え、
前記熱媒コンデンスタンクは、前記冷媒コンデンスタンクの車両前後方向後方側に前記冷媒コンデンスタンクとの間に空間を介して並設され、
前記加温手段は、前記熱媒コンデンスタンクの車両前後方向後方側に並設されたことを特徴とする車両。
【請求項２】
前記熱媒コンデンスタンクと前記冷媒コンデンスタンクとが一体に設けられた一体型コンデンスタンクを備えたことを特徴とする請求項１に記載の車両。
【請求項３】
前記一体型コンデンスタンクは、前記空間と外部との間を連通する連通孔を有することを特徴とする請求項２に記載の車両。
【請求項４】
前記空間が密閉空間であり、
前記密閉空間が真空に調整されたことを特徴とする請求項２に記載の車両。
【請求項５】
前記一体型コンデンスタンクは、前記冷媒コンデンスタンク側の前面に設けられ、車両前方で車幅方向に設けられたクロスメンバ部材に支持される前部取付部と、前記熱媒コンデンスタンク側の下方で車体側に支持される底部取付部と、を有することを特徴とする請求項２〜４のいずれか一項に記載の車両。
【請求項６】
前記熱媒コンデンスタンクの車幅方向長さは、前記冷媒コンデンスタンクの車幅方向長さよりも短く、かつ、前記熱媒コンデンスタンクの高さは、前記冷媒コンデンスタンクの高さよりも低く形成されたことを特徴とする請求項２〜４のいずれか一項に記載の車両。
【発明の詳細な説明】
【技術分野】
【０００１】
本発明は、車両に関するもので、より具体的には、電気温水ヒータ等の加温手段で温められた熱媒で車室内の空気を温める車両に関する。
【背景技術】
【０００２】
車両のうち、特に電動車両においては、一般に、電気温水ヒータ等の加温手段で温められた熱媒で車室内の空気が温められる。電動車両は、車載コンポーネントを冷却する冷媒が循環する冷媒循環流路に設けられた冷媒コンデンスタンク（以下、「低温タンク」という）と、加温手段で温められた熱媒が循環する熱媒循環流路に設けられた熱媒コンデンスタンク（以下、「高温タンク」という）とを備えている。そして、低温タンクには温度が低い冷媒が流れ、冷媒循環流路を流れる冷媒に含まれる空気は低温タンクで分離されるようになっている。同様に、高温タンクには温度が高い熱媒が流れ、熱媒循環流路を流れる熱媒に含まれる空気は高温タンクで分離されるようになっている。
【０００３】
ところで、温度が低い冷媒が流れる低温タンクと温度が高い熱媒が流れる高温タンクとを横並びに固定する装置が知られている。かかる装置は、タンクの膨張変形量に注目したしたものであり、低温タンクのまわりに滞る空気が冷媒に与える影響や高温タンクのまわりを流れる空気が熱媒に与える影響を考慮したものではない（例えば、特許文献１参照）。
【先行技術文献】
【特許文献】
【０００４】
【特許文献１】実公平７−３０９０５号公報
【発明の概要】
【発明が解決しようとする課題】
【０００５】
しかしながら、低温タンクのまわりに滞る空気により低温タンクを流れる冷媒が温められ、高温タンクのまわりを流れる空気により高温タンクを流れる熱媒が冷まされることがある。
【０００６】
本発明は、上記実情を鑑みたものであり、低温タンクを流れる冷媒を温まりにくくでき、かつ、高温タンクを流れる熱媒を冷めにくくできる、これらタンクの配置及びタンクの構造を備えた車両を提供することを目的とする。
【課題を解決するための手段】
【０００７】
本発明は、加温手段で温められた熱媒で車室内の空気を温める車両であって、車載コンポーネントを冷却する冷媒が循環する冷媒循環流路と、前記冷媒循環流路上に形成される冷媒コンデンスタンクと、前記加温手段で温められた熱媒が循環する熱媒循環流路と、前記熱媒循環流路上に形成される熱媒コンデンスタンクと、を備え、前記熱媒コンデンスタンクは、前記冷媒コンデンスタンクの車両前後方向後方側に前記冷媒コンデンスタンクとの間に空間を介して並設され、前記加温手段は、前記熱媒コンデンスタンクの車両前後方向後方側に並設されたことを特徴とする。
【０００８】
本発明によれば、電動車両の走行時に車両前面から空気が取り入れられ、冷媒コンデンスタンクのまわりを流れる。これにより、冷媒コンデンスタンクのまわりに空気が滞ることがなく、冷媒コンデンスタンクを流れる冷媒が温められにくくできる。また、熱媒コンデンスタンクと加温手段とが並設されるので、熱媒コンデンスタンクを流れる熱媒が冷めにくくできる。更に、冷媒コンデンスタンクと熱媒コンデンスタンクとの間に空間を設けるので、両コンデンスタンク間での熱のやりとりを防止できる。
【０００９】
本発明の一態様では、前記熱媒コンデンスタンクと前記冷媒コンデンスタンクとが一体に設けられた一体型コンデンスタンクを備える。
【００１０】
このようにすれば、一体型コンデンスタンク（熱媒コンデンスタンクと冷媒コンデンスタンク）の取付点（留め点）が少なくて済む。
【００１１】
本発明の一態様では、前記一体型コンデンスタンクは、前記空間と外部との間を連通する連通孔を有する。
【００１２】
このようにすれば、空間の空気が温められることにより膨張しても一体型コンデンスタンクが膨張することがない。
【００１３】
本発明の一態様では、前記空間が密閉空間であり、前記密閉空間が真空に調整される。
【００１４】
このようにすれば、空間の断熱性を高めることができる。
【００１５】
本発明の一態様では、前記一体型コンデンスタンクは、前記冷媒コンデンスタンク側の前面に設けられ、車両前方で車幅方向に設けられたクロスメンバ部材に支持される前部取付部と、前記熱媒コンデンスタンク側の下方で車体側に支持される底部取付部と、を有する。
【００１６】
このようにすれば、一体型コンデンスタンクを確実に支持することができると共に、冷媒コンデンスタンクのうち比較的高温の上部でクロスメンバ部材に支持されるので、クロスメンバ部材から伝わる熱の影響を抑えることができて、冷媒が温められにくくできる。また、熱媒コンデンスタンクのうち比較的低温の底部で車体側に支持されるので、車体側へ熱が逃げることを防止できて、熱媒を冷めにくくできる。
【００１７】
本発明の一態様では、前記熱媒コンデンスタンクの車幅方向長さは、前記冷媒コンデンスタンクの車幅方向長さよりも短く、かつ、前記熱媒コンデンスタンクの高さは、前記冷媒コンデンスタンクの高さよりも低く形成される。
【００１８】
このようにすれば、熱媒コンデンスタンクは冷媒コンデンスタンクの車両前後方向後方に隠れるので、熱媒コンデンスタンクは車両の走行時に車両前面で受けた風を直接受けることがなくなり、熱媒コンデンスタンクとなる領域を流れる熱媒を冷めにくくできる。
【発明の効果】
【００１９】
以上説明したように、本発明によれば、熱媒コンデンスタンクと加温手段とが並設されるので、熱媒コンデンスタンクを流れる熱媒を冷めにくくできる。
【図面の簡単な説明】
【００２０】
【図１】本発明の実施の形態に係る電動車両の模式図である。
【図２】冷却水が流れる冷却水循環流路と温水が流れる温水循環流路とを示す模式図である。
【図３】図１に示した電動車両のボンネットルームに設けられたコンデンスタンクの周辺レイアウトを示す平面図である。
【図４】図３に示したコンデンスタンクの正面図である。
【図５】図３に示したコンデンスタンクの右側面図である。
【図６】図３に示したコンデンスタンクの背面図である。
【図７】図１に示した電動車両のボンネットルームに設けられたコンデンスタンクの周辺レイアウトを示す平面図である。
【図８】図７に示したコンデンスタンクの正面図である。
【図９】図７に示したコンデンスタンクの右側面図である。
【図１０】図７に示したコンデンスタンクの背面図である。
【発明を実施するための形態】
【００２１】
以下に添付図面を参照して、本発明に係る車両の好適な実施の形態を詳細に説明する。尚、ここでは電動車両を例に説明するが、この実施の形態により、この発明が限定されるものではない。
【００２２】
図１は、本発明の実施の形態に係る電動車両の模式図である。
【００２３】
図１に示すように、本発明の実施の形態に係る電動車両１は、電気をエネルギー源とし、電動機を動力源として走行する車両である。本発明の実施の形態に係る電動車両１は、電気温水ヒータ２で温められた温水で車室内の空気を温めるもので、冷却水循環流路（冷媒循環流路）３と温水循環流路（熱媒循環流路）４とを備えて構成される（図２参照）。
【００２４】
［実施の形態１］
図２は、冷却水が流れる冷却水循環流路と温水が流れる温水循環流路とを示す模式図である。
【００２５】
図２に示すように、冷却水循環流路３は、マイクロコントロールユニット（ＭＣＵ）３１や車載充電器（ＯＢＣ）３２、電動機（モータ）３３等のように発熱する車載コンポーネントを冷却するためのもので、マイクロコントロールユニット３１、車載充電器３２、モータ３３のほか、ラジエータ３４、低温タンク（コンデンスタンク）５、ウォータポンプ３６が設けられる。これにより、冷却水循環流路３を流れる冷却水（冷媒）は、ラジエータ３４から低温タンク５を通り、ウォータポンプ３６に供給され、ウォータポンプ３６で汲み上げられた冷却水は、マイクロコントロールユニット３１、車載充電器３２、モータ３３の順に流れ、ラジエータ３４に戻される。
【００２６】
温水循環流路４は、電気温水ヒータ２で温められた温水（熱媒）を車室に吹き出される空気通路に設けられたヒータコア４１に供給するためのもので、電気温水ヒータ２、ヒータコア４１のほか、ウォータポンプ４２、高温タンク（コンデンスタンク）６が設けられる。これにより、電気温水ヒータ２で温められた温水は、ヒータコア４１に供給され、ヒータコア４１において車室内に吹き出される空気との間で熱が交換された後、ウォータポンプ４２に供給される。そして、ウォータポンプ４２で汲み上げられた温水は、高温タンク６を通り、電気温水ヒータ２に戻される。
【００２７】
図３は、図１に示した電動車両のボンネットルームに設けられたコンデンスタンクの周辺レイアウトを示す平面図である。また、図４〜図６は、図３に示したコンデンスタンクを示す図であって、図４は正面図、図５は右側面図、図６は背面図である。
【００２８】
図３に示すように、本発明の実施の形態１に係る電動車両のボンネットルーム１１（図１参照）には、冷却水循環流路３に設けられるラジエータ３４（図２参照）、低温タンク５、マイクロコントロールユニット３１のほか、温水循環流路４に設けられる電気温水ヒータ２、高温タンク６が設置される。これらは、車両前後方向前方から後方に向けて、（１）ラジエータ３４及び低温タンク５、（２）高温タンク６、（３）電気温水ヒータ２及びマイクロコントロールユニット３１の順に設置される。
【００２９】
ラジエータ３４は、冷却水循環流路３を循環する冷却水を冷却するためのもので、細長い直方体形状を有する。ラジエータ３４は、ボンネットルーム１１において、車両前面に臨む位置に長手方向が車幅方向に沿って配置される。これにより、ラジエータ３４は、電動車両１が走行する際にボンネットルーム１１に取り込まれた風を受け、ラジエータ３４の内部を流れる冷却水を冷却する。
【００３０】
低温タンク５は、冷却水循環流路３を流れる冷却水に含まれる空気を分離するためのもので、乳白色の細長いポリエチレン製の容器で構成される。低温タンク５は、下半分と上半分とが溶着されて構成され、ボンネットルーム１１において、車両前面に臨む位置に長手方向が車幅方向に沿って設置される。これにより、低温タンク５は、ラジエータ３４と車幅方向横並びに並設される。
【００３１】
図３に示すように、低温タンク５は、平面視矩形の容器で、図６に示すように、その底面は車幅方向左側から右側に向けて漸次深くなるアーチ状に形成されている。また、図５に示すように、低温タンク５の左側面の高さ方向中央域には冷却水入口５１が設けられている。図４に示すように、冷却水入口５１は、左側面から左方に突出する円筒状に形成され、ホース（図示せず）により、ラジエータ３４に接続される。また、図４及び図６に示すように、低温タンク５の右側面の高さ方向下方域には冷却水出口５２が設けられている。冷却水出口５２は、右側面から右方に突出する円筒状に形成され、ホース（図示せず）により、ウォータポンプ３６に接続される。また、図３に示すように、低温タンク５の上面右方域には、冷却水補充口５３が設けられている。冷却水補充口５３は、上面から上方に突出する円筒状に形成され、キャップ（蓋体）５４により蓋がされている。また、図４に示すように、低温タンク５の前面上方域には取付金具（前部取付部）５５，５６が固定されている。取付金具５５，５６は、低温タンク５をボンネットルーム１１（電動車両１）に取り付けるためのもので、均一な厚みを有する平坦な鋼板を適宜形状に切断し、適宜折り曲げることにより形成されている。具体的には、図４及び図５に示すように、前板５５１，５６１となる部分が低温タンク５の前面に沿って設けられ、その上端５５２，５６２が車両前後方向前方に水平に折り曲げられている。そして、本実施の形態に係る低温タンク５は、図３に示すように、取付金具５５，５６をボンネットルーム１１の前縁を構成するアッパーバー（クロスメンバ部材）１１１に二点で固定することにより取り付けられる。これにより、本実施の形態に係る低温タンク５は、前面両側に設けられた二点で固定される。
【００３２】
高温タンク６は、温水循環流路４を流れる温水に含まれる空気を分離するためのもので、図３に示すように、低温タンク５と別体に構成される。高温タンク６は、乳白色の細長いポリエチレン製の容器で構成される。高温タンク６は、下半分と上半分とが溶着されて構成され、ボンネットルーム１１において低温タンク５の車両前後方向後方側となる位置に設置される。具体的には、低温タンク５との間に空間を隔てて、長手方向が車幅方向に沿って設置される。これにより、高温タンク６は、低温タンク５と空間を介して平行となり、低温タンク５と車両前後方向横並びに並設される。
【００３３】
図３に示すように、高温タンク６は、平面視矩形の容器で、図３及び図６に示すように、上半分の右側がくびれることで、下半分よりも小さく形成されている。また、図５及び図６に示すように、高温タンク６の左側面中央域には温水入口６１が設けられている。温水入口６１は、左側面から左方に突出する円筒状に形成され、ホース（図示せず）により、ウォータポンプ４２に接続される。また、高温タンク６の左側面下方域には温水出口６２が設けられている。温水出口６２は、温水入口６１と同様、左側面から左方に突出する円筒状に形成され、ホース（図示せず）により、電気温水ヒータ２に接続される。また、図３に示すように、高温タンク６の上面中央域には温水補充口６３が設けられている。温水補充口６３は、上面から上方に突出する円筒状に形成され、キャップ（蓋体）６４により蓋がされている。また、図６に示すように、高温タンク６の背面には、取付金具（後部取付部）６５が固定されている。取付金具６５は、高温タンク６の背面をボンネットルーム１１（電動車両１）に固定するためのもので、均一な厚みを有する平坦な鋼板をＨの字状に切断し、適宜折り曲げることにより形成されている。具体的には、図５及び図６に示すように、背板６５１となる部分が高温タンク６の背面に沿って設けられ、その両側上端部６５２，６５３が車両前後方向後方に水平に折り曲げられ、両側下端部６５４，６５５が車両前後方向前方に水平に折り曲げられている。また、高温タンク６の底面には、取付金具６６が固定されている。取付金具（底部取付部）６６は、高温タンク６の底面をボンネットルーム１１（電動車両１）に固定するためのもので、均一な厚みを有する平坦な鋼板を適宜折り曲げることにより形成されている。具体的には、図５及び図６に示すように、底板６６１となる部分が高温タンク６の底面に沿って設けられ、その両側が下方に向けて折り曲げられて脚部６６２となり、その両端がそれぞれ車幅方向外側に折り曲げられて取付部６６３となる。そして、本実施の形態に係る高温タンク６は、背面に固定された取付金具６５をボンネットルーム１１に設けられた車体部材（図示せず）又は周辺機器（図示せず）に二点で固定すると共に、底面に固定された取付金具６６をボンネットルーム１１に設けられた車体部材又は周辺機器に二点で固定することにより取り付けられる。これにより、本実施の形態に係る高温タンク６は、背面両側に設けられた二点と底面に設けられた一点とで固定される。
【００３４】
電気温水ヒータ２は、上述したように、水を温めるためのもので、図３に示すように、低温タンク５や高温タンク６と別体に構成される。電気温水ヒータ２は、平面視矩形の直方体形状に構成され、ボンネットルーム１１において高温タンク６の車両前後方向後方側となる位置に配置される。具体的には、高温タンク６との間に空間を隔てて、長手方向が車幅方向に沿って設置される。これにより、電気温水ヒータ２は、高温タンク６と空間を介して平行となり、高温タンク６と車両前後方向横並びに並設される。
【００３５】
マイクロコントロールユニット３１は、車載充電器３２やモータ３３を制御するためのもので、図３に示すように、低温タンク５や高温タンク６、及び電気温水ヒータ２と別体に構成される。マイクロコントロールユニット３１は、平面視矩形の直方体形状に構成され、ボンネットルーム１１において電気温水ヒータ２の車幅方向右側となる位置に設置される。具体的には、電気温水ヒータ２との間に空間を隔てて長手方向が車両前後方向に沿って配置される。これにより、マイクロコントロールユニット３１は、電気温水ヒータ２と空間を隔てて平行となり、電気温水ヒータ２と車幅方向横並びに並設される。これにより、マイクロコントロールユニット３１は、低温タンク５及び高温タンク６の車両前後方向後方となる位置に高温タンク６と平行に設置される。
【００３６】
上述した本発明の実施の形態１に係る電動車両１が通常走行する際には、車両前面で風を受ける。車両前面で受けた風（空気）は、ボンネットルーム１１に取り込まれ、ラジエータ３４と低温タンク５のまわりを流れる。これにより、ラジエータ３４の内部を流れる冷却水は冷却される。そして、ラジエータ３４で冷却された冷却水は、冷却水循環流路３を通り、低温タンク５に供給される。これにより、冷却水に含まれる空気は分離される。このとき、冷却水は低温タンク５のまわりを流れる空気により温められなくて済む。そして、低温タンク５で空気が分離された冷却水は、冷却水循環流路３を通り、ウォータポンプ３６に供給される。ウォータポンプ３６に供給された冷却水はウォータポンプ３６により汲み上げられ、マイクロコントロールユニット３１、車載充電器３２、モータ３３の順に冷却水循環流路３を流れる。これにより、マイクロコントロールユニット３１、車載充電器３２、モータ３３が冷却される。
【００３７】
一方、電気温水ヒータ２で温められた温水は、温水循環流路４を通り、ヒータコア４１に供給される。ヒータコア４１に供給された温水は、ヒータコア４１のまわりを流れ、車室内に吹き出される空気との間で熱が交換される。これにより、温水の温度が下がり、車室内に吹き出される空気の温度が上がる。そして、ヒータコア４１で熱が交換された温水は、温水循環流路４を通り、ウォータポンプ４２に供給される。ウォータポンプ４２に供給された温水はウォータポンプ４２により汲み上げられ、高温タンク６に供給される。これにより、温水に含まれる空気は分離される。このとき、高温タンク６は、低温タンク５の車両前後方向後方でボンネットルーム１１に取り込まれた風（空気）を避け、車両前後方向後方に配置された電気温水ヒータ２の熱の影響を受ける。したがって、温水は高温タンク６のまわり流れる空気により著しく冷まされなくて済む。そして、高温タンク６で空気が分離された温水は、温水循環流路４を通り、電気温水ヒータ２に戻される。
【００３８】
上述した本発明の実施の形態１に係る電動車両１は、車両前面からボンネットルーム１１に空気が取り入れられ、ラジエータ３４と低温タンク５のまわりを流れる。これにより、低温タンク５のまわりに空気が滞ることがなく、低温タンク５を流れる冷却水を温められにくくできる。また、低温タンク５のまわりを通った空気が高温タンク６のまわりを流れることになるので、高温タンク６を流れる温水を冷めにくくできる。
【００３９】
［実施の形態２］
実施の形態２に係る電動車両の冷却水循環流路と温水循環流路は、上述した実施の形態１に係るものと同一の構成を有するので、図２を援用して説明する。尚、上述した実施の形態１と同様の構成については同一の符号を付して説明する。
【００４０】
図２に示すように、本発明の実施の形態２に係る電動車両１は、冷却水循環流路３に設けられる低温タンク７と温水循環流路４に設けられる高温タンク８とが一体化され、一つのコンデンスタンク９（一体型コンデンスタンク）とされたものである（図７参照）。
【００４１】
冷却水循環流路３は、マイクロコントロールユニット（ＭＣＵ）３１や車載充電器（ＯＢＣ）３２、電動機（モータ）３３等のように発熱する車載コンポーネントを冷却するためのもので、上述した実施の形態１と同様、マイクロコントロールユニット３１、車載充電器３２、モータ３３のほか、ラジエータ３４、コンデンスタンク（低温タンク７）、ウォータポンプ３６が設けられる。これにより、冷却水循環流路３を流れる冷却水（冷媒）は、ラジエータ３４からコンデンスタンク９を通り、ウォータポンプ３６に供給され、ウォータポンプ３６で汲み上げられた冷却水は、マイクロコントロールユニット３１、車載充電器３２、モータ３３の順に流れ、ラジエータ３４に戻される。
【００４２】
温水循環流路４は、電気温水ヒータ２で温められた温水（熱媒）を車室に吹き出される空気通路に設けられたヒータコア４１に供給するためのもので、上述した実施の形態１と同様、電気温水ヒータ２、ヒータコア４１のほか、ウォータポンプ４２、コンデンスタンク（高温タンク８）が設けられる。これにより、電気温水ヒータ２で温められた温水は、ヒータコア４１に供給され、ヒータコア４１において車室内に吹き出される空気との間で熱が交換された後、ウォータポンプ４２に供給される。そして、ウォータポンプ４２で汲み上げられた温水は、コンデンスタンク９を通り、電気温水ヒータ２に戻される。
【００４３】
図７は、図１に示した電動車両のボンネットルームに設けられたコンデンスタンクの周辺レイアウトを示す平面図である。また、図８〜図１０は、図７に示したコンデンスタンクを示す図であって、図８は正面図、図９は右側面図、図１０は背面図である。
【００４４】
図７に示すように、本発明の実施の形態２に係る電動車両のボンネットルーム１１には、冷却水循環流路３に設けられるラジエータ３４（図２参照）やマイクロコントロールユニット３１、温水循環流路４に設けられる電気温水ヒータ２のほか、低温タンク７と高温タンク８とが一体化されたコンデンスタンク９が設置される。これらは、車両前後方向前方から後方に向けて、（１）ラジエータ３４及びコンデンスタンク９、（２）電気温水ヒータ２及びマイクロコントロールユニット３１の順に設置される。
【００４５】
ラジエータ３４は、上述した実施の形態１と同様、冷却水循環流路３を循環する冷却水を冷却するためのもので、細長い直方体形状を有する。ラジエータ３４は、ボンネットルーム１１において、車両前面に臨む位置に長手方向が車幅方向に沿って配置される。これにより、ラジエータ３４は、電動車両１が走行する際にボンネットルーム１１に取り込まれた風を受け、ラジエータ３４の内部を流れる冷却水を冷却する。
【００４６】
コンデンスタンク９は、冷却水や温水に含まれる空気を分離するためのもので、本発明の実施の形態２に係るコンデンスタンク９は、低温タンク７となる領域と高温タンク８となる領域との間に空間９１が設けられ、これらが一体に形成される。コンデンスタンク９は、乳白色のポリエチレン製の容器で構成され、下半分と上半分とが溶着されて構成される。コンデンスタンク９は、ボンネットルーム１１において、低温タンク７となる領域が車両前面に臨む位置に車幅方向に沿って設置される。これにより、コンデンスタンク９は、ラジエータ３４と車幅方向横並びに並設される。
【００４７】
図７に示すように、低温タンク７となる領域は平面視矩形に設けられ、高温タンク８となる領域は平面視台形に設けられる。そして、低温タンク７となる領域と高温タンク８となる領域との境界となる領域に空間９１が設けられる。これにより、低温タンク７となる領域と高温タンク８となる領域とが空間９１を介して並設される。
【００４８】
また、低温タンク７となる領域は、図１０に示すように、その底面が車幅方向左側から右側に向けて漸次深くなる湾曲状に形成され、高温タンク８となる領域は、その底面が車幅方向に水平に形成される。
【００４９】
また、図７〜図１０に示すように、高温タンク８となる領域の車幅方向の長さは、低温タンク７となる領域の車幅方向となる長さよりも短く、かつ、高温タンク８となる領域の高さ方向の高さは、低温タンク７となる領域の高さ方向の高さよりも低く形成されている。これは、高温タンク８となる領域を低温タンク７となる領域の車両前後方向後方に隠れるようにするためである。このようにすれば、高温タンク８となる領域は電動車両１の走行時に車両前面で受けた風（空気）を直接受けることがなくなり、高温タンク８となる領域を流れる温水を冷めにくくできる。
【００５０】
また、図９に示すように、低温タンク７となる領域の左側面の高さ方向上方域には冷却水入口７１が設けられている。図８に示すように、冷却水入口７１は、低温タンク７となる領域の左側面から左方に突出する円筒状に形成され、ホース（図示せず）により、ラジエータ３４に接続される。また、図８及び図１０に示すように、低温タンク７となる領域の右側面の高さ方向下方域には冷却水出口７２が設けられている。冷却水出口７２は、低温タンク７となる領域の右側面から右方に突出する円筒状に形成され、ホース（図示せず）により、ウォータポンプ３６に接続される。また、図７に示すように、低温タンク７となる領域の上面中央域には、冷却水補充口７３が設けられている。冷却水補充口７３は、上面から上方に突出する円筒状に形成され、キャップ（蓋体）７４により塞がれている。
【００５１】
また、図９に示すように、高温タンク８となる領域の左側面の高さ方向上側となる車両前後方向後方域には、温水入口８１が設けられている。図８及び図１０に示すように、温水入口８１は、高温タンク８となる領域の左側面から左方に突出する円筒状に形成され、ホース（図示せず）により、ウォータポンプ４２に接続される。また、図９及び図１０に示すように、高温タンク８となる領域の右側となる領域は、低温タンク７となる領域の背面に沿って下方に延在し、その底面に温水出口８２が設けられている。温水出口８２は、底面から下方に突出する円筒状に形成され、ホース（図示せず）により、電気温水ヒータ２に接続される。また、図７に示すように、高温タンク８となる領域の上面車幅方向左側となる車両前後方向後方域には温水補充口８３が設けられている。温水補充口８３は、上面から上方に突出する円筒状に形成され、キャップ（蓋体）８４により蓋がされている。
【００５２】
また、図７及び図９に示すように、低温タンク７となる領域と高温タンク８となる領域との境界となる領域に設けられた空間９１は熱を遮断するためのもので、本実施の形態に係るコンデンスタンク９において境界となる領域に設けられた空間９１は閉鎖された閉鎖空間である。また、コンデンスタンク９の側面、例えば、左側面には、外部から閉鎖空間に連通する空気穴９１１が設けられている。これにより、閉鎖空間には空気層が形成される。そして、閉鎖空間の空気が温められた場合や冷まされた場合にも空気穴９１１から空気が出し入れされ、閉鎖空間の容積が一定に保たれる。これにより、コンデンスタンク９が膨張したり縮小したりするのを防止できる。
【００５３】
また、図８に示すように、コンデンスタンク９の低温タンク７となる領域の前面上方域両側にはそれぞれ取付金具（前部取付部）７５，７６が固定されている。取付金具７５，７６は、コンデンスタンク９の前面をボンネットルーム１１（電動車両１）に固定するためのもので、均一な厚みを有する平坦な鋼板を切断し、適宜折り曲げることにより形成されている。具体的には、図８及び図９に示すように、取付金具５５，５６は左右対称であり、前板７５１，７６１となる部分がコンデンスタンク９の前面に沿って設けられ、その上端７５２，７６２が車両前後方向前方に水平に折り曲げられている。
【００５４】
また、図９及び図１０に示すように、コンデンスタンク９の高温タンク８となる領域の底面には取付金具（底部取付部）８５が固定されている。取付金具８５は、コンデンスタンク９の高温タンク８となる領域の底面をボンネットルーム１１（電動車両１）に固定するためのもので、均一な厚みを有する平坦な鋼板を適宜折り曲げることにより形成されている。具体的には、図９及び図１０に示すように、底板８５１となる部分が高温タンク８となる領域の底面に沿って設けられ、その両側が下方に向けて折り曲げられて脚部８５２となり、その両端がそれぞれ車幅方向外側に折り曲げられて取付部８５３となる。そして、本実施の形態に係るコンデンスタンク９は、前面に固定された取付金具７５，７６をボンネットルーム１１の前縁を構成するアッパーバー１１１に二点で固定すると共に、高温タンク８となる領域の底面に固定された取付金具８５をボンネットルーム１１に設けられた車体部材又は周辺機器に二点で固定することにより取り付けられる。これにおり、本実施の形態に係るコンデンスタンク９は、前面側に設けられた二点と底面に設けられた一点とで固定される。
【００５５】
電気温水ヒータ２は、上述した実施の形態１と同様、水を温めるためのもので、図７に示すように、コンデンスタンク９と別体に構成される。電気温水ヒータ２は、平面視矩形の直方体形状に構成され、ボンネットルーム１１においてコンデンスタンク９の車両前後方向後方となる位置に配置される。具体的には、コンデンスタンク９との間に空間を隔てて、長手方向が車幅方向に沿って配置される。これにより、電気温水ヒータ２は、高温タンクと空間を隔てて平行となり、高温タンクと車両前後方向横並びに配置される。
【００５６】
マイクロコントロールユニット３１は、車載充電器３２やモータ３３を制御するためのもので、図７に示すように、コンデンスタンク９及び電気温水ヒータ２と別体に構成される。マイクロコントロールユニット３１は、平面視矩形の直方体形状に構成され、ボンネットルーム１１において電気温水ヒータ２の車幅方向右側となる位置に配置される。具体的には、電気温水ヒータ２との間に空間を隔てて長手方向が車両前後方向に沿って配置される。これにより、マイクロコントロールユニット３１は、電気温水ヒータ２と空間を隔てて平行となり、電気温水ヒータ２と車幅方向横並びに配置される。これにより、マイクロコントロールユニット３１は、コンデンスタンク９の車両前後方向後方となる位置にコンデンスタンク９と平行に配置される。
【００５７】
上述した本発明の実施の形態１に係る電動車両１が通常走行する際には、車両前面で風を受ける。車両前面で受けた風（空気）は、ボンネットルーム１１に取り込まれ、ラジエータ３４とコンデンスタンク９のまわりを流れる。これにより、ラジエータ３４の内部を流れる冷却水は冷却される。そして、ラジエータ３４で冷却された冷却水は、冷却水循環流路３を通り、コンデンスタンク９の低温タンク７となる領域に供給される。これにより、冷却水に含まれる空気は分離される。このとき、冷却水は低温タンク７となる領域のまわりを流れる空気により温められなくて済む。そして、低温タンク７となる領域で空気が分離された冷却水は、冷却水循環流路３を通り、ウォータポンプ３６に供給される。ウォータポンプ３６に供給された冷却水はウォータポンプ３６により汲み上げられ、マイクロコントロールユニット３１、車載充電器３２、モータ３３が冷却される。
【００５８】
一方、電気温水ヒータ２で温められた温水は、温水循環流路４を通り、ヒータコア４１に供給される。ヒータコア４１に供給された温水は、ヒータコア４１のまわりを流れ、車室内に吹き出される空気との間で熱が交換される。これにより、温水の温度が下がり、車室内に吹き出される空気の温度が上がる。そして、ヒータコア４１で熱が交換された温水は、温水循環流路４を通り、ウォータポンプ４２に供給される。ウォータポンプ４２に供給された温水はウォータポンプ４２により汲み上げられ、コンデンスタンク９の高温タンク８となる領域に供給される。これにより、温水に含まれる空気は分離される。このとき、高温タンク８となる領域は、低温タンク７となる領域の車両前後方向後方で車体前面から受ける風（空気）を避け、車両前後方向後方に配置された電気温水ヒータ２の熱の影響を受ける。したがって、温水は高温タンク８となる領域のまわり流れる空気により著しく冷まされなくて済む。そして、高温タンク８となる領域で空気が分離された温水は、温水循環流路４を通り、電気温水ヒータ２に戻される。
【００５９】
上述した本発明の実施の形態２に係る電動車両１は、車両前面からボンネットルーム１１に空気が取り入れられ、ラジエータ３４とコンデンスタンク９のまわりを流れる。これにより、コンデンスタンク９の低温タンク７となる領域のまわりに空気が滞ることがなく、低温タンク７となる領域を流れる冷却水を温められにくくできる。また、低温タンク７となる領域のまわりを通った空気が高温タンク８となる領域のまわりを流れることになるので、高温タンク８を流れる温水を冷めにくくできる。
【００６０】
また、低温タンク７となる領域と高温タンク８となる領域との間に空間９１が設けられ、これらが一体に形成されるので、低温タンク７となる領域、高温タンク８となる領域をそれぞれ固定する必要がなく、コンデンスタンク９の取付箇所（留め点）が少なくて済む。
【００６１】
また、低温タンク７となる領域と高温タンク８となる領域との間に設けられた空間９１が閉鎖空間であり、コンデンスタンク９の側面に外部から閉鎖空間に連通する空気穴９１１が設けられているので、空間９１に空気層が形成される。これにより、低温タンク７となる領域と高温タンク８となる領域とが断熱される。また、空間９１の空気が温められた場合や冷まされた場合にも空気が出し入れされるので、コンデンスタンク９が膨張したり縮小したりするのを防止できる。
【００６２】
また、コンデンスタンク９は、低温タンク７となる領域側の前面に固定された取付金具７５でボンネットルーム１１の前縁となるアッパーバー１１１に固定され、高温タンク８となる領域の底面に固定された取付金具８５で車体部材又は周辺機器に固定されるので、コンデンスタンク９を確実に支持することができる。更に、低温タンク７のうち比較的高温の冷却水は上部に集まるが、コンデンスタンク９は低温タンク７の上部でアッパーバー１１１に支持されるので、アッパーバー１１１から伝わる熱の影響を抑えることができて、冷却水を温められにくくできる。また、高温タンク８のうち比較的低温の温水は下方に集まるが、コンデンスタンク９は高温タンク８の下方で車体側に支持されるので、車体側へ温水の熱が逃げることを防止できて、温水を冷めにくくできる。
【００６３】
尚、上述した実施の形態２では、低温タンク７となる領域と高温タンク８との境界となる領域に設けられた空間９１は閉鎖された閉鎖空間であるが、大気圧よりも負圧（真空）の密閉空間としてもよい。このように、大気圧よりも負圧となる真空に調整すれば、空間９１の断熱性能を高めることができる。
また、実施の形態１，２では、加温手段として電気温水ヒータ２を用いたが、これに限定されず、例えばヒートポンプやエンジン等を用いても良い。
【産業上の利用可能性】
【００６４】
以上説明したように、本発明に係る車両は、冷媒コンデンスタンクを流れる冷媒を温まりにくくでき、かつ、熱媒コンデンスタンクを流れる熱媒を冷めにくくできるので、電気温水ヒータで温められた温水で車室内の空気を温める電動車両に好適である。
【符号の説明】
【００６５】
１    電動車両
１１    ボンネットルーム
１１１    アッパーバー（クロスメンバ部材）
２    電気温水ヒータ
３    冷却水循環流路
３１    マイクロコントロールユニット（ＭＣＵ）
３２    車載充電器（ＯＢＣ）
３３    モータ
３４    ラジエータ
３６    ウォータポンプ
４    温水循環流路
４１    ヒータコア
４２    ウォータポンプ
５    低温タンク（冷媒コンデンスタンク）
５１    冷却水入口
５２    冷却水出口
５３    冷却水補充口
５４    キャップ
５５，５６    取付金具（前部取付部）
５５１，５６１    前板
５５２，５６２    上端
６    高温タンク（熱媒コンデンスタンク）
６１    温水入口
６２    温水出口
６３    温水補充口
６５    取付金具（後部取付部）
６６    取付金具（底部取付部）
７    低温タンク
７５，７６    取付金具（前部取付部）
８    高温タンク
８５    取付金具（底部取付部）
９    コンデンスタンク（一体型コンデンスタンク）
９１    空間
９１１    空気穴
【図１】
2015223989.tif 000003
【図２】
2015223989.tif 000004
【図３】
2015223989.tif 000005
【図４】
2015223989.tif 000006
【図５】
2015223989.tif 000007
【図６】
2015223989.tif 000008
【図７】
2015223989.tif 000009
【図８】
2015223989.tif 000010
【図９】
2015223989.tif 000011
【図１０】
2015223989.tif 000012